(57)【要約】【課題】センタ装置に多大な負荷がかかるのを防ぐ。【解決手段】情報送信受付要求を受け取った時点で通信しているゲートウェイ装置ＧＷｎの台数が、予めセンタ装置１に登録されているゲートウェイ装置ＧＷｎの登録台数やセンタ装置１が同時に通信可能である単位時間当たりの通信数に応じて決められる上限台数未満であれば、受付許可通知をセンタ装置１からゲートウェイ装置ＧＷｎに返信し、前記台数が上限台数に達していれば受付拒否通知をセンタ装置１からゲートウェイ装置ＧＷｎに返信する。ゲートウェイ装置ＧＷｎにおいては、当該受付拒否通知を受け取った場合、所定の待ち時間が経過した後に再度情報送信受付要求をセンタ装置１に送信する。故に、多数のゲートウェイ装置ＧＷｎがセンタ装置１の許可無しに同時に情報を送信することがなく、センタ装置１に多大な負荷がかかるのを防ぐことができる。【選択図】図１
2007164299.tif 000002
【特許請求の範囲】
【請求項１】
１乃至複数の機器がそれぞれ保有する情報をゲートウェイ装置で取得し、複数のゲートウェイ装置が取得した前記情報をインターネットを介してセンタ装置で収集し、インターネットに接続された端末装置に対してセンタ装置が収集した前記情報を開示することにより当該端末装置で前記機器を監視する遠隔監視システムであって、
ゲートウェイ装置は、各機器から前記情報を取得する情報取得手段と、インターネットを介してセンタ装置と通信する通信手段と、情報取得手段で取得した前記情報をセンタ装置に送信する前に当該情報送信の受け付けを要求する情報送信受付要求を通信手段よりセンタ装置に送信させる制御手段とを備え、
センタ装置は、インターネットを介して各ゲートウェイ装置並びに前記端末装置と通信する通信手段と、同時に通信可能であるゲートウェイ装置の上限台数を決定する上限台数決定手段と、前記情報送信受付要求を受け取った時点で通信しているゲートウェイ装置の台数が前記上限台数未満であれば通信手段より受付許可通知を返信し、前記台数が上限台数に達していれば通信手段より受付拒否通知を返信する受付可否判定手段とを備え、
ゲートウェイ装置の前記制御手段は、前記受付許可通知を受け取った場合は情報取得手段で取得した前記情報を通信手段よりセンタ装置へ送信し、前記受付拒否通知を受け取った場合は所定の待ち時間が経過した後に再度情報送信受付要求を通信手段よりセンタ装置に送信することを特徴とする遠隔監視システム。
【請求項２】
前記上限台数決定手段は、予めセンタ装置に登録されているゲートウェイ装置の登録台数に応じて上限台数を決定することを特徴とする請求項１記載の遠隔監視システム。
【請求項３】
前記上限台数決定手段は、センタ装置が同時に通信可能である単位時間当たりの通信数に応じて上限台数を決定することを特徴とする請求項１記載の遠隔監視システム。
【請求項４】
センタ装置は、通信中のゲートウェイ装置が前記情報送信に要する時間を推定する時間推定手段を備え、当該時間推定手段が推定した時間を前記受付可否判定手段が前記受付拒否通知とともに返信してなり、
ゲートウェイ装置の前記制御手段は、前記推定時間に基づく所定の待ち時間が経過した後に再度情報送信受付要求を通信手段よりセンタ装置に送信することを特徴とする請求項１〜３の何れかに記載の遠隔監視システム。
【請求項５】
センタ装置は、少なくとも何れか一つの機器若しくは各ゲートウェイ装置に対して前記情報の提供を要求する要求手段を備え、
ゲートウェイ装置の前記制御手段は、前記要求手段からの要求に応じて前記情報送信受付要求を通信手段よりセンタ装置に送信させることを特徴とする請求項１〜４の何れかに記載の遠隔監視システム。
【請求項６】
センタ装置の前記受付可否判定手段は、受付拒否通知を返信したゲートウェイ装置を記憶しておき、当該ゲートウェイ装置が前記情報をセンタ装置に送信し終える前に当該ゲートウェイ装置以外の別のゲートウェイ装置から情報送信受付要求を受け取ったときに受付拒否通知を返信することを特徴とする請求項１〜５の何れかに記載の遠隔監視システム。
【請求項７】
センタ装置の前記受付可否判定手段は、全てのゲートウェイ装置に優先順位を設定しておき、前記受付拒否通知を受けて送信待ちの状態にあるゲートウェイ装置が有る場合に当該ゲートウェイ装置以外の別のゲートウェイ装置から情報送信受付要求を受け取ったときに当該別のゲートウェイ装置の優先順位が当該送信待ち状態のゲートウェイ装置よりも優先順位が高い場合にのみ受付許可通知を当該別のゲートウェイ装置に返信することを特徴とする請求項１〜６の何れかに記載の遠隔監視システム。
【発明の詳細な説明】
【技術分野】
【０００１】
本発明は、１乃至複数の機器がそれぞれ保有する情報をゲートウェイ装置で取得し、複数のゲートウェイ装置が取得した前記情報をインターネットを介してセンタ装置で収集し、インターネットに接続された端末装置に対してセンタ装置が収集した前記情報を開示することにより当該端末装置で前記機器を監視する遠隔監視システムに関するものである。
【背景技術】
【０００２】
従来より、１乃至複数の機器がそれぞれ保有する情報をゲートウェイ装置で取得し、複数のゲートウェイ装置が取得した前記情報をインターネットを介してセンタ装置で収集し、インターネットに接続された端末装置に対してセンタ装置が収集した前記情報を開示することにより当該端末装置で前記機器を監視する遠隔監視システムが提供されている（例えば、特許文献１参照)。
【特許文献１】特開２００４−２８０７１７号公報
【発明の開示】
【発明が解決しようとする課題】
【０００３】
しかしながら、多数のゲートウェイ装置が一時に集中してセンタ装置に情報を送信すると、センタ装置に多大な負荷がかかってしまい、端末装置に対する情報開示が不能になる等の不具合が生じる可能性がある。
【０００４】
本発明は上記事情に鑑みて為されたものであり、その目的は、センタ装置に多大な負荷がかかるのを防ぐことができる遠隔監視システムを提供することにある。
【課題を解決するための手段】
【０００５】
請求項１の発明は、上記目的を達成するために、１乃至複数の機器がそれぞれ保有する情報をゲートウェイ装置で取得し、複数のゲートウェイ装置が取得した前記情報をインターネットを介してセンタ装置で収集し、インターネットに接続された端末装置に対してセンタ装置が収集した前記情報を開示することにより当該端末装置で前記機器を監視する遠隔監視システムであって、ゲートウェイ装置は、各機器から前記情報を取得する情報取得手段と、インターネットを介してセンタ装置と通信する通信手段と、情報取得手段で取得した前記情報をセンタ装置に送信する前に当該情報送信の受け付けを要求する情報送信受付要求を通信手段よりセンタ装置に送信させる制御手段とを備え、センタ装置は、インターネットを介して各ゲートウェイ装置並びに前記端末装置と通信する通信手段と、同時に通信可能であるゲートウェイ装置の上限台数を決定する上限台数決定手段と、前記情報送信受付要求を受け取った時点で通信しているゲートウェイ装置の台数が前記上限台数未満であれば通信手段より受付許可通知を返信し、前記台数が上限台数に達していれば通信手段より受付拒否通知を返信する受付可否判定手段とを備え、ゲートウェイ装置の前記制御手段は、前記受付許可通知を受け取った場合は情報取得手段で取得した前記情報を通信手段よりセンタ装置へ送信し、前記受付拒否通知を受け取った場合は所定の待ち時間が経過した後に再度情報送信受付要求を通信手段よりセンタ装置に送信することを特徴とする。
【０００６】
請求項２の発明は、請求項１の発明において、前記上限台数決定手段は、予めセンタ装置に登録されているゲートウェイ装置の登録台数に応じて上限台数を決定することを特徴とする。
【０００７】
請求項３の発明は、請求項１の発明において、前記上限台数決定手段は、センタ装置が同時に通信可能である単位時間当たりの通信数に応じて上限台数を決定することを特徴とする。
【０００８】
請求項４の発明は、請求項１〜３の何れかの発明において、センタ装置は、通信中のゲートウェイ装置が前記情報送信に要する時間を推定する時間推定手段を備え、当該時間推定手段が推定した時間を前記受付可否判定手段が前記受付拒否通知とともに返信してなり、ゲートウェイ装置の前記制御手段は、前記推定時間に基づく所定の待ち時間が経過した後に再度情報送信受付要求を通信手段よりセンタ装置に送信することを特徴とする。
【０００９】
請求項５の発明は、請求項１〜４の何れかの発明において、センタ装置は、少なくとも何れか一つの機器若しくは各ゲートウェイ装置に対して前記情報の提供を要求する要求手段を備え、ゲートウェイ装置の前記制御手段は、前記要求手段からの要求に応じて前記情報送信受付要求を通信手段よりセンタ装置に送信させることを特徴とする。
【００１０】
請求項６の発明は、請求項１〜５の何れかの発明において、センタ装置の前記受付可否判定手段は、受付拒否通知を返信したゲートウェイ装置を記憶しておき、当該ゲートウェイ装置が前記情報をセンタ装置に送信し終える前に当該ゲートウェイ装置以外の別のゲートウェイ装置から情報送信受付要求を受け取ったときに受付拒否通知を返信することを特徴とする。
【００１１】
請求項７の発明は、請求項１〜６の何れかの発明において、センタ装置の前記受付可否判定手段は、全てのゲートウェイ装置に優先順位を設定しておき、前記受付拒否通知を受けて送信待ちの状態にあるゲートウェイ装置が有る場合に当該ゲートウェイ装置以外の別のゲートウェイ装置から情報送信受付要求を受け取ったときに当該別のゲートウェイ装置の優先順位が当該送信待ち状態のゲートウェイ装置よりも優先順位が高い場合にのみ受付許可通知を当該別のゲートウェイ装置に返信することを特徴とする。
【発明の効果】
【００１２】
請求項１〜３の発明によれば、情報送信受付要求を受け取った時点で通信しているゲートウェイ装置の台数が、予めセンタ装置に登録されているゲートウェイ装置の登録台数やセンタ装置が同時に通信可能である単位時間当たりの通信数に応じて決められる上限台数未満であれば受付許可通知をセンタ装置からゲートウェイ装置に返信し、前記台数が上限台数に達していれば受付拒否通知をセンタ装置からゲートウェイ装置に返信するとともに、ゲートウェイ装置においては、当該受付拒否通知を受け取った場合、所定の待ち時間が経過した後に再度情報送信受付要求をセンタ装置に送信するので、センタ装置に多大な負荷がかかるのを防ぐことができる。
【００１３】
請求項４の発明によれば、受付拒否通知がセンタ装置からゲートウェイ装置へ何度も繰り返し返信されるのを防ぐことができる。
【００１４】
請求項５の発明によれば、任意のタイミングで機器の情報をセンタ装置で収集することができる。
【００１５】
請求項６の発明によれば、特定のゲートウェイ装置がいつまでも情報を送信できない状況となるのを防ぐことができる。
【００１６】
請求項７の発明によれば、重要な機器からの情報を優先的にセンタ装置で収集することができる。
【発明を実施するための最良の形態】
【００１７】
(実施形態１)
本実施形態の遠隔監視システムは、図１に示すように宅内に設置される複数の機器３と、これら複数の機器３が保有する情報を信号線Ｌｓを介して取得する複数台（図示例では３台）のゲートウェイ装置ＧＷ１，ＧＷ２，ＧＷ３と、各ゲートウェイ装置ＧＷｎ（ｎ＝１，２，３）が取得した前記情報をインターネットを介して収集するとともにインターネットに接続された端末装置２に対して収集した前記情報を開示するセンタ装置１とで構成される。但し、ゲートウェイ装置ＧＷｎは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置４と通信ケーブル（通常、エンハンストカテゴリー５又はカテゴリー６のＬＡＮケーブル）５によって接続され、インターネット接続装置４が介在することでセンタ装置１と各ゲートウェイ装置ＧＷｎとがインターネットを介して情報（データ）の送受信を行うことができる。なお、この種のインターネット接続装置４は従来周知であるから詳細についての図示並びに説明は省略する。
【００１８】
端末装置２は、インターネットに接続可能なパーソナルコンピュータ、携帯電話機、ＰＤＡ（Personal Digital Assistance）などであり、インターネットを介してセンタ装置１にアクセスし、例えば、自宅に設置されている機器３の情報（動作状態や異常の有無など）をセンタ装置１から受信して画面に表示することができるものである。なお、この種の端末装置２も従来周知であるから詳細についての図示並びに説明は省略する。
【００１９】
宅内に設置される機器３は、火災感知器やガス漏れ警報機などの防災センサ、照明器具、家庭用エレベータ装置などであって、自己が保有する情報（例えば、正常に動作しているか否か、あるいは何らかの異常を検知しているかなど）を信号線Ｌｓを介してゲートウェイ装置ＧＷｎに伝送する機能を有している。なお、本実施形態では複数の機器３を共通の信号線Ｌｓでゲートウェイ装置ＧＷｎに接続しているため、固有の機器アドレスを割り当てることで個々の機器３が識別できるようにしている。
【００２０】
ゲートウェイ装置ＧＷｎは、図２に示すように信号線Ｌｓを介して各機器３との間でデータ通信を行う機器側通信部２０と、通信ケーブル５によりインターネット接続装置４に接続されインターネット接続装置４からインターネットを介してセンタ装置１とデータ通信を行うＷＡＮ側通信部２１と、機器側通信部２０並びにＷＡＮ側通信部２１を制御して機器３が保有する情報を取得するとともに当該情報をＷＡＮ側通信部２１よりセンタ装置１に送信させる制御部２２と、制御部２２が取得した前記情報等を保存するメモリ部２３とを備えている。ここで、制御部２２はＣＰＵを主構成要素とし、情報取得手段並びに制御手段の機能を担っており、定期的あるいは機器３からの要求に応じて前記情報を取得する。また、ゲートウェイ装置ＧＷｎにはプライベートなＩＰアドレスが割り当てられており、グローバルのＩＰアドレスが割り当てられるインターネット接続装置４のＮＡＴ（Network Address Translation）機能によってゲートウェイ装置ＧＷｎとセンタ装置１とがインターネットを介してデータ通信を行うことができる。
【００２１】
センタ装置１は、図３に示すようにインターネットを介して各ゲートウェイ装置ＧＷｎ（インターネット接続装置４）並びに端末装置２との間でデータ通信を行う通信部１０と、同時に通信可能であるゲートウェイ装置ＧＷｎの上限台数を決定する上限台数決定部１１と、情報送信受付要求（後述する）を受け取った時点で通信しているゲートウェイ装置ＧＷｎの台数が前記上限台数未満であれば通信部１０より受付許可通知を返信し、前記台数が上限台数に達していれば通信部１０より受付拒否通知を返信する受付可否判定部１２と、各ゲートウェイ装置ＧＷｎから収集した機器３の情報を記憶する記憶部１３と、端末装置２からの要求に応じて記憶部１３に記憶した機器３の情報を通信部１０より当該端末装置２に送信させることで当該情報を開示する情報開示部１４と、通信中のゲートウェイ装置ＧＷｎが情報送信に要する時間を推定する時間推定部１５とを備えている。ここで、上限台数決定部１１並びに受付可否判定部１２、情報開示部１４、時間推定部１５は何れもＣＰＵが専用のプログラムを実行することで実現される機能モジュールである。また、センタ装置１にはインターネット接続用にグローバルのＩＰアドレスが割り当てられており、同じくグローバルＩＰアドレスが割り当てられている端末装置２やインターネット接続装置４との間でインターネットを介したデータ通信を行うことができる。
【００２２】
上限台数決定部１１は、予めセンタ装置１に登録されているゲートウェイ装置ＧＷｎの登録台数に応じて上限台数を決定するものであって、例えば、登録台数が３台であれば上限台数は１台、登録台数が１０であれば上限台数は３台、登録台数が５０台であれば上限台数は１２台というように決定する。あるいは、センタ装置１が同時に通信可能である単位時間当たりの通信数（通信容量）に応じて上限台数を決定してもよく、例えば、前記通信数が１時間当たり３であれば上限台数は１台、通信数が１時間当たり１０であれば上限台数は３台、通信数が１時間当たり５０であれば上限台数は１２台というように決定する。
【００２３】
次に、本実施形態の動作を説明する。まず、図４のフローチャートを参照してゲートウェイ装置ＧＷｎの動作を説明する。
【００２４】
ゲートウェイ装置ＧＷｎの制御部２２では、機器３からの情報送信要求の有無を監視しており（ステップ１）、機器３から情報送信要求を受け取るか、あるいは一定時間が経過したら（ステップ２）、センタ装置１に対してＷＡＮ側通信部２１より情報送信受付要求を送信する（ステップ３）。そして、センタ装置１から返信されるレスポンスが受付許可通知であれば（ステップ４）、制御部２２は、メモリ部２３に保存している機器３の情報（データ）をＷＡＮ側通信部２１よりセンタ装置１に送信する（ステップ５）。一方、センタ装置１から返信されるレスポンスが受付拒否通知であった場合（ステップ４）、制御部２２は、受付拒否通知とともに受信した待ち時間のカウントを開始し（ステップ６）、待ち時間が経過したら（ステップ７）、センタ装置１に対してＷＡＮ側通信部２１より再度情報送信受付要求を送信する（ステップ３）。また、制御部２２では待ち時間のカウント中も機器３からの情報送信要求の有無を監視しており（ステップ８）、機器３から情報送信要求を受け取れば待ち時間のカウント中であってもセンタ装置１に対してＷＡＮ側通信部２１より再度情報送信受付要求を送信する（ステップ３）。
【００２５】
続いて、図５のフローチャートを参照してセンタ装置１の動作を説明する。
【００２６】
センタ装置１では、通信部１０においてゲートウェイ装置ＧＷｎからの情報送信受付要求を受信すると（ステップ１０）、受付可否判定部１２では情報送信受付要求を受け取った時点で通信しているゲートウェイ装置ＧＷｎの台数と記憶部１１に記憶している上限台数を比較し（ステップ１１）、上限台数に達していれば、当該情報送信受付要求の送信元のゲートウェイ装置ＧＷｎが記憶部１１の送信待ちリストに既に登録されているか否かを調べ（ステップ１２）、未登録であれば送信待ちリストの最後に追加して受付拒否通知と時間推定部１５で推定した待ち時間を通信部１０より前記送信元のゲートウェイ装置ＧＷｎに返信する（ステップ１３）。また、記憶部１１の送信待ちリストに既に登録されていた場合、受付可否設定部１２は送信待ちリストを変更せずに受付拒否通知と時間推定部１５で推定した待ち時間を通信部１０より前記送信元のゲートウェイ装置ＧＷｎに返信する（ステップ１８）。
【００２７】
一方、情報送信受付要求を受け取った時点で通信しているゲートウェイ装置ＧＷｎの台数が上限台数未満であった場合、受付可否判定部１２は、記憶部１１の送信待ちリストに登録されている他のゲートウェイ装置ＧＷｎ、つまり送信待ち状態のゲートウェイ装置ＧＷｎの有無を調べ（ステップ１４）、送信待ちのゲートウェイ装置ＧＷｎが無ければ、情報送信受付要求の送信元のゲートウェイ装置ＧＷｎに対して通信部１０より受付許可通知を返信する（ステップ１５）。ここで、送信待ちのゲートウェイ装置ＧＷｎが有った場合、受付可否判定部１２は、記憶部１１に記憶している各ゲートウェイ装置ＧＷｎの優先順位を調べ（ステップ１６）、情報送信受付要求送信元のゲートウェイ装置ＧＷｎが送信待ちのゲートウェイ装置ＧＷｎよりも優先順位が上位であれば、当該送信元のゲートウェイ装置ＧＷｎの送信待ちリストへの登録の有無を調べ（ステップ１９）、未登録であれば通信部１０より受付許可通知を返信し（ステップ１５）、登録済みであれば当該送信元のゲートウェイ装置ＧＷｎを送信待ちリストから削除した上で受付許可通知を返信する（ステップ２０）。
【００２８】
上述のように本実施形態によれば、情報送信受付要求を受け取った時点で通信しているゲートウェイ装置ＧＷｎの台数が、予めセンタ装置１に登録されているゲートウェイ装置ＧＷｎの登録台数やセンタ装置１が同時に通信可能である単位時間当たりの通信数に応じて決められる上限台数未満であれば、受付許可通知をセンタ装置１からゲートウェイ装置ＧＷｎに返信し、前記台数が上限台数に達していれば受付拒否通知をセンタ装置１からゲートウェイ装置ＧＷｎに返信するとともに、ゲートウェイ装置ＧＷｎにおいては、当該受付拒否通知を受け取った場合、所定の待ち時間が経過した後に再度情報送信受付要求をセンタ装置１に送信するので、多数のゲートウェイ装置ＧＷｎがセンタ装置１の許可無しに同時に情報を送信することがなく、センタ装置１に多大な負荷がかかるのを防ぐことができる。また、受付拒否通知とともに時間推定部１５で推定される待ち時間をセンタ装置１からゲートウェイ装置ＧＷｎへ返信しているので、受付拒否通知がセンタ装置１からゲートウェイ装置ＧＷｎへ何度も繰り返し返信されるのを防ぐことができる。さらに、受付拒否通知を返信したゲートウェイ装置ＧＷｎを記憶部１１の送信待ちリストに登録しておき、送信待ちのゲートウェイ装置ＧＷｎが情報をセンタ装置１に送信し終える前に別のゲートウェイ装置ＧＷｎから情報送信受付要求を受け取ったときに受付可否判定部１２が受付拒否通知を返信するため、特定のゲートウェイ装置ＧＷｎがいつまでも情報を送信できない状況となるのを防ぐことができる。しかも、全てのゲートウェイ装置ＧＷｎに優先順位を設定してセンタ装置１の記憶部１１に記憶しておき、受付拒否通知を受けて送信待ちの状態にあるゲートウェイ装置ＧＷｎが有る場合に別のゲートウェイ装置ＧＷｎから情報送信受付要求を受け取ったときに送信待ち状態のゲートウェイ装置ＧＷｎと新たに情報送信受付要求を送信した別のゲートウェイ装置ＧＷｎの優先順位を比較して、新たに情報送信受付要求を送信した別のゲートウェイ装置ＧＷｎが送信待ち状態のゲートウェイ装置ＧＷｎよりも優先順位が高い場合にのみ受付許可通知を返信するから、例えば、防災センサの情報を取得するゲートウェイ装置ＧＷｎの優先順位を照明器具の情報を取得するゲートウェイ装置ＧＷｎよりも上位とすれば、重要な機器３からの情報を優先的にセンタ装置１で収集することができる。
【００２９】
（実施形態２）
本実施形態はセンタ装置１の構成に特徴があり、その他の構成並びに基本的な動作は実施形態１と共通である。したがって、実施形態１と共通の構成要素については図示並びに説明を省略する。
【００３０】
本実施形態におけるセンタ装置１は、図６に示すように電話回線Ｌｔにより特定の機器３に対して情報の提供を要求するための要求信号を送信する要求部１６を備えている。要求部１６は、電話回線Ｌｔを介してデータ通信を行うモデムからなり、例えば、端末装置２からの要求に応じて特定の機器３に要求信号を送信する。特定の機器３とは、例えば、家庭用エレベータ装置のように緊急連絡のために電話回線Ｌｔと接続されている機器である。
【００３１】
而して、センタ装置１から要求信号を受け取った機器３はゲートウェイ装置ＧＷｎに対して情報送信要求を行い、実施形態１で説明した手順で当該機器３の情報がゲートウェイ装置ＧＷｎを通じてセンタ装置１に送られる。従って、本実施形態によれば任意のタイミングで機器３の情報をセンタ装置１で収集することができる。なお、センタ装置１から機器３に要求信号を送る代わりに、対象の機器３が接続されているゲートウェイ装置ＧＷｎに当該機器３の情報を取得することを要求しても構わない。
【００３２】
ここで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができる。
【００３３】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。例えば、実施形態１，２における機器３にＥＭＩＴソフトウェアを搭載し、ＥＭＩＴ端末として用いることができる。
【図面の簡単な説明】
【００３４】
【図１】本発明の実施形態１を示すシステム構成図である。
【図２】同上におけるゲートウェイ装置のブロック図である。
【図３】同上におけるセンタ装置のブロック図である。
【図４】同上におけるゲートウェイ装置の動作説明用のフローチャートである。
【図５】同上におけるセンタ装置の動作説明用のフローチャートである。
【図６】本発明の実施形態２におけるセンタ装置のブロック図である。
【符号の説明】
【００３５】
ＧＷ１，ＧＷ２，ＧＷ３  ゲートウェイ装置
１  センタ装置
２  端末装置
３  機器
４  インターネット接続装置
【図１】
2007164299.tif 000003
【図２】
2007164299.tif 000004
【図３】
2007164299.tif 000005
【図４】
2007164299.tif 000006
【図５】
2007164299.tif 000007
【図６】
2007164299.tif 000008